【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
筒状のフィルムと、
前記フィルムの母線方向に長く、前記フィルムの内面に接触するヒータと、
前記母線方向に長く、前記ヒータの前記フィルムの内面と接触する面と反対側の面に接触する熱伝導部材と、
前記熱伝導部材を介して前記ヒータを支持する支持部材と、
を有し、前記フィルムを介した前記ヒータの熱を利用して記録材に形成されたトナー画像を記録材に定着する定着装置において、
前記母線方向に直交する断面において、前記熱伝導部材が前記ヒータに接触する領域のうち、前記母線方向に直交する方向の一端部及び他端部に位置する前記熱伝導部材の部分をそれぞれ第１の部分及び第２の部分とした場合に、前記熱伝導部材の前記第１の部分及び前記第２の部分が前記支持部材と前記ヒータの双方に接触し挟まれており、前記母線方向に直交する方向に関し前記第１の部分と前記第２の部分との間に前記支持部材と前記熱伝導部材とが接触しない非接触領域が設けられていることを特徴とする定着装置。
【請求項２】
前記非接触領域は、前記支持部材に形成された凹部によって形成されていることを特徴とする請求項１に記載の定着装置。
【請求項３】
前記断面を第１の断面としたときに、前記母線方向において前記第１の断面と異なる位置にある第２の断面において、前記熱伝導部材が前記ヒータに接触する領域のうち、前記母線方向に直交する方向の一端部及び他端部に位置する前記熱伝導部材の部分をそれぞれ第３の部分及び第４の部分とした場合に、前記熱伝導部材の前記第３の部分及び前記第４の部分が前記支持部材と前記ヒータの双方に接触し挟まれており、前記母線方向に直交する方向に関し前記第３の部分と前記第４の部分との間において前記支持部材は前記熱伝導部材と接触していることを特徴とする請求項１又は２に記載の定着装置。
【請求項４】
前記第２の断面は、前記熱伝導部材の前記母線方向における端部に位置する断面であることを特徴とする請求項３に記載の定着装置。
【請求項５】
前記母線方向において、前記ヒータの発熱領域よりも外側にある前記ヒータの両端部は、前記熱伝導部材の両端部よりも外側にあり、
前記支持部材は前記ヒータの前記両端部に接触し支持するヒータ支持部を有し、
前記支持部材は、前記母線方向に関し、前記ヒータの発熱領域内においては前記ヒータの前記熱伝導部材と対向する面に接触しないことを特徴とする請求項１〜４のいずれか１項に記載の定着装置。
【請求項６】
前記熱伝導部材は、前記母線方向における一端部に前記支持部材に近づく方向に曲がっている曲げ部を有し、
前記支持部材は前記曲げ部が挿入される開口部を有し、
前記支持部材に対する前記母線方向に直交する方向の前記熱伝導部材の移動は、前記曲げ部と前記開口部との係合によって規制されることを特徴とする請求項１〜５に記載の定着装置。
【請求項７】
前記曲げ部を第１の曲げ部、前記開口部を第１の開口部としたとき、
前記熱伝導部材は、前記母線方向において前記一端部と反対側にある他端部に第２の曲げ部を有し、
前記支持部材は、前記第２の曲げ部が挿入される第２の開口部を有し、
前記熱伝導部材は、前記母線方向における一端部と他端部にそれぞれ、前記支持部材に近づく方向に曲がっている第１の曲げ部及び第２の曲げ部を有し、
前記支持部材は前記第１の曲げ部及び前記第２の曲げ部が挿入される第１の穴及び第２の穴を有し、
前記支持部材に対する前記母線方向に直交する方向の前記熱伝導部材の移動は、前記曲げ部と前記開口部との係合によって規制されることを特徴とする請求項６に記載の定着装置。
【請求項８】
前記非接触領域は、前記母線方向において、前記第１の開口部と前記第２の開口部の間で前記母線方向に延びていることを特徴とする請求項７に記載の定着装置。
【請求項９】
筒状のフィルムと、
前記フィルムの母線方向に長く、前記フィルムの内面に接触するヒータと、
前記母線方向に長く、前記ヒータの前記フィルムの内面と接触する面と反対側の面に接触する熱伝導部材と、
前記熱伝導部材を介して前記ヒータを支持する支持部材と、
を有し、前記フィルムを介した前記ヒータの熱を利用して記録材に形成されたトナー画像を記録材に定着する定着装置において、
前記母線方向に直交する断面において、前記熱伝導部材が前記ヒータに接触する領域のうち、前記母線方向に直交する方向の一端部及び他端部に位置する前記熱伝導部材の部分をそれぞれ第１の部分及び第２の部分とした場合に、前記熱伝導部材の前記第１の部分及び前記第２の部分は前記支持部材によって前記ヒータに向けて押圧されており、前記母線方向に直交する方向に関し前記第１の部分と前記第２の部分との間に前記支持部材と前記熱伝導部材とが接触しない空隙が設けられていることを特徴とする定着装置。
【請求項１０】
前記空隙は、前記支持部材に形成された凹部によって形成されていることを特徴とする請求項９に記載の定着装置。
【請求項１１】
前記断面を第１の断面としたときに、前記母線方向において前記第１の断面と異なる位置にある第２の断面において、前記熱伝導部材が前記ヒータに接触する領域のうち、前記母線方向に直交する方向の一端部及び他端部に位置する前記熱伝導部材の部分をそれぞれ第３の部分及び第４の部分とした場合に、前記熱伝導部材の前記第３の部分及び前記第４の部分が前記支持部材と前記ヒータの双方に接触し挟まれており、前記母線方向に直交する方向に関し前記第３の部分と前記第４の部分との間において前記支持部材は前記熱伝導部材と接触していることを特徴とする請求項９又は１０に記載の定着装置。
【請求項１２】
前記第２の断面は、前記熱伝導部材の前記母線方向における端部に位置する断面であることを特徴とする請求項１１に記載の定着装置。
【請求項１３】
前記母線方向において、前記ヒータの発熱領域よりも外側にある前記ヒータの両端部は、前記熱伝導部材の両端部よりも外側にあり、
前記支持部材は前記ヒータの前記両端部に接触し支持するヒータ支持部を有し、
前記支持部材は、前記母線方向に関し、前記ヒータの発熱領域内においては前記ヒータの前記熱伝導部材と対向する面に接触しないことを特徴とする請求項９〜１２のいずれか１項に記載の定着装置。
【請求項１４】
前記熱伝導部材は、前記母線方向における一端部に前記支持部材に近づく方向に曲がっている曲げ部を有し、
前記支持部材は前記曲げ部が挿入される開口部を有し、
前記支持部材に対する前記母線方向に直交する方向の前記熱伝導部材の移動は、前記曲げ部と前記開口部との係合によって規制されることを特徴とする請求項９〜１３に記載の定着装置。
【請求項１５】
前記曲げ部を第１の曲げ部、前記開口部を第１の開口部としたとき、
前記熱伝導部材は、前記母線方向において前記一端部と反対側にある他端部に第２の曲げ部を有し、
前記支持部材は、前記第２の曲げ部が挿入される第２の開口部を有し、
前記熱伝導部材は、前記母線方向における一端部と他端部にそれぞれ、前記支持部材に近づく方向に曲がっている第１の曲げ部及び第２の曲げ部を有し、
前記支持部材は前記第１の曲げ部及び前記第２の曲げ部が挿入される第１の穴及び第２の穴を有し、
前記支持部材に対する前記母線方向に直交する方向の前記熱伝導部材の移動は、前記曲げ部と前記開口部との係合によって規制されることを特徴とする請求項１４に記載の定着装置。
【請求項１６】
前記非接触領域は、前記母線方向において、前記第１の開口部と前記第２の開口部の間で前記母線方向に延びていることを特徴とする請求項１５に記載の定着装置。
【請求項１７】
前記母線方向に直交する方向おいて前記熱伝導部材の幅は前記ヒータの幅よりも狭く、前記母線方向に直交する方向における前記熱伝導部材の一端部及び他端部は前記ヒータに接触していることを特徴とする請求項１〜１６に記載の定着装置。
【請求項１８】
前記ヒータは、基板と、前記基板の上に形成された発熱抵抗体と、を有し、前記熱伝導部材の熱伝導率は前記基板よりも高いことを特徴とする請求項１〜１７のいずれか１項に記載の定着装置。
【請求項１９】
前記断面において、前記発熱抵抗体の少なくとも一部は、前記母線方向に直交する方向に関し前記熱伝導部材の前記第１の部分もしくは前記第２の部分とオーバラップすることを特徴とする請求項１８に記載の定着装置。
【請求項２０】
前記フィルムを介して前記ヒータと共に記録材を搬送するためのニップ部を形成するバックアップ部材を有することを特徴とする請求項１〜１９のいずれか１項に記載の定着装置。
【手続補正２】
【補正対象書類名】明細書
【補正対象項目名】０００６
【補正方法】変更
【補正の内容】
【０００６】
上記課題を解決するための本願発明の好適な実施形態の一つ目は、筒状のフィルムと、前記フィルムの母線方向に長く、前記フィルムの内面に接触するヒータと、前記母線方向に長く、前記ヒータの前記フィルムの内面と接触する面と反対側の面に接触する熱伝導部材と、前記熱伝導部材を介して前記ヒータを支持する支持部材と、を有し、前記フィルムを介した前記ヒータの熱を利用して記録材に形成されたトナー画像を記録材に定着する定着装置において、前記母線方向に直交する断面において、前記熱伝導部材が前記ヒータに接触する領域のうち、前記母線方向に直交する方向の一端部及び他端部に位置する前記熱伝導部材の部分をそれぞれ第１の部分及び第２の部分とした場合に、前記熱伝導部材の前記第１の部分及び前記第２の部分が前記支持部材と前記ヒータの双方に接触し挟まれており、前記母線方向に直交する方向に関し前記第１の部分と前記第２の部分との間に前記支持部材と前記熱伝導部材とが接触しない非接触領域が設けられていることを特徴とするものです。
上記課題を解決するための本願発明の好適な実施形態の二つ目は、筒状のフィルムと、前記フィルムの母線方向に長く、前記フィルムの内面に接触するヒータと、前記母線方向に長く、前記ヒータの前記フィルムの内面と接触する面と反対側の面に接触する熱伝導部材と、前記熱伝導部材を介して前記ヒータを支持する支持部材と、を有し、前記フィルムを介した前記ヒータの熱を利用して記録材に形成されたトナー画像を記録材に定着する定着装置において、前記母線方向に直交する断面において、前記熱伝導部材が前記ヒータに接触する領域のうち、前記母線方向に直交する方向の一端部及び他端部に位置する前記熱伝導部材の部分をそれぞれ第１の部分及び第２の部分とした場合に、前記熱伝導部材の前記第１の部分及び前記第２の部分は前記支持部材によって前記ヒータに向けて押圧されており、前記母線方向に直交する方向に関し前記第１の部分と前記第２の部分との間に前記支持部材と前記熱伝導部材とが接触しない空隙が設けられていることを特徴とするものです。